(57)【要約】【課題】１対の挟持片を折曲部で容易に折り曲げることができるとともに、係止突起を係止孔に容易に係止でき、さらに、当該係止を容易に解除できるヘルメット用取付具を提供する。【解決手段】第１挟持片１１と第２挟持片１２とを備え、第１挟持片１１と第２挟持片１２とは折曲部１３によって接続され、第２挟持片１２はヘルメットの縁に係止可能なフック部１６と、第１挟持片１１に設けられている係止孔１５に係止可能な係止突起１７とを備え、折曲部１３は第１挟持片１１および第２挟持片１２より薄く、係止孔１５は第１挟持片１１より薄い薄肉部１５ａに設けられ、第１挟持片１１と第２挟持片１２とが折曲部１３を折り曲げることによって重なった状態において、第１挟持片１１が第２挟持片より突出している突出部２０を有している。【選択図】図３
0003213468.tif 000002
【実用新案登録請求の範囲】
【請求項１】
帯状の表示部材をヘルメットに取り付ける際に使用されるヘルメット用取付具であって、
前記表示部材の端部を挟み付ける第１挟持片と第２挟持片とを備え、
前記第１挟持片と前記第２挟持片とは折曲可能な折曲部によって接続され、
前記第２挟持片は前記ヘルメットの縁に係止可能なフック部と、前記第１挟持片に設けられている係止孔に係止可能な係止突起とを備え、
前記折曲部は前記第１挟持片および前記第２挟持片より薄く、
前記係止孔は、前記第１挟持片に形成され、かつ当該第１挟持片より薄い薄肉部に設けられ、
前記第１挟持片と前記第２挟持片とが前記折曲部を折り曲げることによって重なった状態において、前記第１挟持片と前記第２挟持片とのうちの一方が他方より、前記第１挟持片および第２挟持片の重なり方向と交差する方向に突出している突出部を有することを特徴とするヘルメット用取付具。
【請求項２】
前記第１挟持片が第２挟持片より薄く形成され、前記第１挟持片は、前記折曲部から最も離れた部分に前記突出部を有することを特徴とする請求項１に記載のヘルメット用取付具。
【考案の詳細な説明】
【技術分野】
【０００１】
本考案は、作業者の職種や熟練度等を識別表示するための表示部材をヘルメットに取り付ける際に使用されるヘルメット用取付具に関する。
【背景技術】
【０００２】
従来、工事現場等では、新規入場教育後、作業員のヘルメットに氏名等を記入したシールを貼って作業員の職種や熟練度等を表示し識別していた。
しかし、このシールを用いる方法では、他の工事現場のシールがヘルメットに貼られていることがあり、作業員の識別ができない場合があるという問題があった。
【０００３】
この問題を解決できるヘルメット用表示具の一例として特許文献１に記載のものが知られている。このヘルメット用表示具は、表示部材とフックを備え、フックにより、ヘルメットの縁に係止することができるため、表示部材を取り替えて異なる色のバンド部を有する表示部材にすることができるうえ、シールを貼付しないので、ヘルメットを汚すこともない。また、フックがＬ字状であり、該Ｌ字部の内角が５５〜７５°の範囲内であるので、縁の幅が異なるヘルメットに使用してもフックがヘルメットの縁をしっかりと押さえるので容易に脱落することがなく、フックの下端がヘルメットの側面に突出することを防止できる。
【先行技術文献】
【特許文献】
【０００４】
【特許文献１】実用新案登録第３１４９４０３号公報
【考案の概要】
【考案が解決しようとする課題】
【０００５】
ところが、上述した従来のヘルメット用表示具では次のような問題点がある。
すなわちまず、当該ヘルメット用表示具は、帯状のバンド（表示部材）の端部を挟み付ける１対の挟持片を有しており、当該１対の挟持片をその折曲部で折り曲げることで重ねるとともに一方の挟持片に設けられた係止突起を他方の挟持片に設けられた係止孔に係止することによって一対の挟持片でバンドの端部を挟み付けた状態に保持しているが、１対の挟持片を折曲部で折り曲げる際に折り曲げ難い場合や、折り曲げて１対の挟持片を重ねた際に係止突起を係止孔に係止し難い場合がある。
また、１対の挟持片によってバンド部の端部を挟み付ける前に、当該１対の挟持片が折曲部で折曲げられることで重なっており、係止突起が係止孔に係止している状態において、１対の挟持片を開く際に前記係止を解除し難い場合がある。
【０００６】
本考案は、上記事情に鑑みてなされたもので、１対の挟持片を折曲部で容易に折り曲げることができるとともに、係止突起を係止孔に容易に係止でき、さらに、当該係止を容易に解除できるヘルメット用取付具を提供することを目的としている。
【課題を解決するための手段】
【０００７】
前記目的を達成するために、本考案のヘルメット用取付具は、帯状の表示部材をヘルメットに取り付ける際に使用されるヘルメット用取付具であって、
前記表示部材の端部を挟み付ける第１挟持片と第２挟持片とを備え、
前記第１挟持片と前記第２挟持片とは折曲可能な折曲部によって接続され、
前記第２挟持片は前記ヘルメットの縁に係止可能なフック部と、前記第１挟持片に設けられている係止孔に係止可能な係止突起とを備え、
前記折曲部は前記第１挟持片および前記第２挟持片より薄く、
前記係止孔は、前記第１挟持片に形成され、かつ当該第１挟持片より薄い薄肉部に設けられ、
前記第１挟持片と前記第２挟持片とが前記折曲部を折り曲げることによって重なった状態において、前記第１挟持片と前記第２挟持片とのうちの一方が他方より、前記第１挟持片および第２挟持片の重なり方向と交差する方向に突出している突出部を有することを特徴とする。
【０００８】
本考案においては、第１挟持片と第２挟持片とを接続する折曲部は前記第１挟持片および前記第２挟持片より薄くなっているので、第１挟持片と第２挟持片とを折曲部で容易に折り曲げることができる。
また、係止孔が、前記第１挟持片に形成されかつ当該第１挟持片より薄い薄肉部に設けられているので、係止突起を係止孔に挿入する際に係止孔の周辺の薄肉部が弾性的に容易に撓む。このため、係止突起を係止孔に挿入し易くなるので、当該係止突起を係止孔に容易に係止できる。
さらに、第１挟持片と第２挟持片とのうちの一方が他方より突出している突出部を有するので、この突出部を掴んで引っ張ることによって、係止突起を係止孔から容易に引き抜くことができる。したがって、係止突起の係止孔への係止を容易に解除できる。
【０００９】
また、本考案の前記構成において、前記第１挟持片が第２挟持片より薄く形成され、前記第１挟持片は、前記折曲部から最も離れた部分に前記突出部を有していてもよい。
【００１０】
このような構成によれば、第１挟持片が第２挟持片より薄く形成されているので、突出部を引っ張る際に第１挟持片が第２挟持片から離れる方向に撓み易くなるとともに、突出部は折曲部から最も離れた部分にあるので、比較的小さな力で係止突起を係止孔から引き抜くことができる。
【考案の効果】
【００１１】
本考案によれば、１対の挟持片を折曲部で容易に折り曲げることができるとともに、係止突起を係止孔に容易に係止でき、さらに、当該係止を容易に解除できる。
【図面の簡単な説明】
【００１２】
【図１】本考案の実施の形態に係るヘルメット用取付具を示すもので、斜視図である。
【図２】同、正面図である。
【図３】同、背面図である。
【図４】同、側面図である。
【図５】同、第１挟持片の要部の断面図である。
【図６】同、係止孔およびその周辺の拡大図である。
【図７】同、折曲部とその周辺の拡大図である。
【図８】同、第１挟持片と第２挟持片によって表示部材の端部を挟み付けた状態を示す側面図である。
【図９】同、表示部材の端部にヘルメット用取付具を取り付けた状態を示す背面図である。
【図１０】同、ヘルメットにヘルメット用取付具を取り付けた状態を示す斜視図である。
【考案を実施するための形態】
【００１３】
以下、図面を参照して本考案のヘルメット用取付具の実施の形態について説明する。
図１は、ヘルメット用取付具１を示す斜視図、図２は同正面図、図３は同背面図、図４は同側面図である。このヘルメット用取付具１は、帯状の表示部材３０（図９および図１０参照）をヘルメット３１（図１０参照）に取り付ける際に使用されるものであり、樹脂による射出成形によって形成されている。また、ヘルメット用取付具１は薄板状の第１挟持片１１と薄板状の第２挟持片１２とを備え、当該第１挟持片１１と第２挟持片１２とは折曲可能な折曲部１３によって接続されている。また、図４に示すように、第１挟持片１１は第２挟持片１２より薄く形成されている。
【００１４】
第１挟持片１１は、本体部１１ａと、この本体部１１ａに一体的に設けられ、折曲部１３に接続された接続部１１ｂとから構成されている。また、本体部１１ａと接続部１１ｂとは同厚に形成されている。
本体部１１ａは略蒲鉾断面状に形成され、当該本体部１１ａには左右一対の係止孔１５，１５が設けられている。係止孔１５は後述する係止突起１７が係止されるものであり、当該係止孔１５の外側を向く縁は略半円状に形成され、その他の縁は直線状に形成されている。また、本体部１１ａには、当該本体部１１ａの厚さより薄い左右一対の薄肉部１５ａ，１５ａが設けられている。つまり、薄肉部１５ａの表面は、図５に示すように、本体部１１ａの表面より一段低くなっており、これによって、薄肉部１５ａは本体部１１ａより薄くなっている。
薄肉部１５ａの外周縁は係止孔１５の外周縁より外側に配置され、当該係止孔１５の外周縁とほぼ相似形となっている。そして、この薄肉部１５ａの略中央部に係止孔１５が形成されている。
また、図６に示すように、係止孔１５の外周縁から薄肉部１５ａの外周縁に向けて延び、かつ薄肉部１５ａを貫通する３本の細溝１５ｂ・・・が係止孔１５の略中央部回りに９０°間隔で形成されており、周方向に隣り合う細溝１５ｂ，１５ｂ間の薄肉片１５ｃはその厚さ方向に弾性的に撓み可能となっている。
【００１５】
第２挟持片１２は、図１および図２に示すように、正面視において、略矩形状に形成された本体部１２ａを備え、当該本体部１２ａの下端隅部は円弧状に形成されている。また、図１、図３および図４に示すように、第２挟持片１２は、ヘルメットの縁に係止可能なフック部１６，１６と、前記係止孔１５に係止可能な係止突起１７，１７とを備えている。
フック部１６，１６は本体部１２ａの上縁部に、前記接続部１１ｂの基端部を挟んで左右１対設けられており、本体部１２ａの背面側に略Ｌ形に形成されている。そして、このフック部１６，１６と本体部１２ａとの間にヘルメットの縁が挿入されることで、フック部１６，１６がヘルメットの縁に係止可能となっている。
【００１６】
また、係止突起１７は、フック部１６より下方において、本体部１２ａの背面から突出するようにして設けられており、その平面形状は前記係止孔１５の平面形状と相似形でかつ若干大きくなっている。
係止突起１７，１７は、折曲部１３を軸として係止孔１５，１５と対称的に配置されており、折曲部１３を折り曲げることによって、第１挟持片１１を第２挟持片１２に重ねた際に、係止孔１５，１５に挿入されて係止されるようになっている。
すなわち、第１挟持片１１を第２挟持片１２に重ねていくと、相対的に係止突起１７，１７が係止孔１５，１５に挿入されていくが、この際、係止突起１７，１７によって薄肉部１５ａの薄肉片１５ｃ・・・が弾性的に撓んでいき、係止突起１７，１７が薄肉部１５ａを越えると、薄肉片１５ｃ・・・が弾性復帰して、係止突起１７，１７の首部（先端部）に係止する。これによって、係止突起１７，１７は係止孔１５，１５に係止するようになっている。
【００１７】
折曲部１３は、図４および図７に示すように、第１挟持片１１および第２挟持片１２より薄く形成されており、この折曲部１３を折り曲げることによって、第１挟持片１１と第２挟持片１２とが重ねられるようになっている。また、折曲部１３の幅は、前記接続部１１ｂと同幅となっている。
また、図８に示すように、第１挟持片１１と第２挟持片１２とが折曲部１３を折り曲げることによって重なった状態において、第１挟持片１１が第２挟持片１２より、第１挟持片１１および第２挟持片１２の重なり方向と交差する方向（図８において下方）に突出している突出部２０を有している。
すなわち、図１〜図３に示すように、第１挟持片１１の本体部１１ａは、折曲部１３から最も離れた部分、つまり本体部１２ａの先端部に突出部２０を有している。この突出部２０は、本体部１１ａの外周縁から円弧状に突出しており、この突出部２０が、第１挟持片１１と第２挟持片とが重ねられた状態において、第２挟持片１２の下端から突出している（図８参照）。
【００１８】
このような構成のヘルメット用取付具１を使用して、帯状の表示部材３０をヘルメットに取り付ける場合、まず図９に示すように、表示部材３０の両端部にヘルメット用取付具１を取り付ける。この際、図８に示すように、第１挟持片１１と第２挟持片１２とを折曲部１３を折り曲げることによって重ねるとともに、第１挟持片１１と第２挟持片１２との間に表示部材３０の端部を挟み込んだうえで、係止突起１７，１７を係止孔１５，１５に係止する。表示部材３０の端部には、係止突起１７，１７が挿通される挿通孔が形成されており、当該挿通孔に係止突起１７，１７を挿通したうえで、係止孔１５，１５に係止する。これによって、表示部材３０の端部は第１挟持片１１と第２挟持片１２とによって挟み付けられる。また、表示部材３０の端部に形成された挿通孔に係止突起１７，１７が挿通されることで、表示部材３０の端部のヘルメット用取付具１からの抜け出が防止される。
このようにして、帯状の表示部材３０の両端部にそれぞれヘルメット用取付具１を取り付ける。なお、表示部材３０は伸縮性のある部材によって形成されている。
【００１９】
次に、図１０に示すように、ヘルメット３１に外面に表示部材３０を密着させるようにして沿わせるとともに、表示部材３０の両端部にそれぞれ取り付けられているヘルメット用取付具１のフック部１６，１６をヘルメット３１の縁に挿入することによって、当該フック部１６，１６をヘルメット３１の縁に係止する。これによって、表示部材３０をヘルメット用取付具１によってヘルメット３１に取り付ける。
【００２０】
以上のように本実施の形態によれば、第１挟持片１１と第２挟持片１２とを接続する折曲部１３が第１挟持片１１および第２挟持片１２より薄くなっているので、第１挟持片１１と第２挟持片１２とを折曲部１３で容易に折り曲げることができる。
また、係止孔１５が、第１挟持片１１に形成されかつ当該第１挟持片１１より薄い薄肉部１５ａに設けられているので、係止突起１７を係止孔１５に挿入する際に係止孔１５の周辺の薄肉部１５ａ（薄肉片１５ｃ）が弾性的に容易に撓む。このため、係止突起１７を係止孔１５に挿入し易くなるので、当該係止突起１７を係止孔１５に容易に係止できる。
さらに、第１挟持片１１が第２挟持片１２より、第１挟持片１１および第２挟持片１２の重なり方向と交差する方向（図８において下方）に突出している突出部２０を有しているので、この突出部２０を掴んで引っ張ることによって、係止突起１７を係止孔１５から容易に引き抜くことができる。したがって、係止突起１７の係止孔１５への係止を容易に解除できる。
【００２１】
また、第１挟持片１１が第２挟持片１２より薄く形成されているので、突出部２０を引っ張る際に第１挟持片１１が第２挟持片１２から離れる方向に撓み易くなるとともに、突出部２０は折曲部１３から最も離れた部分にあるので、比較的小さな力で係止突起１７を係止孔１５から引き抜くことができる。
【００２２】
なお、本実施の形態では、突出部２０を第１挟持片１１の上端部に設けたが、これに代えて、当該突出部２０を第２挟持片１２の下端部に設けてもよい。
【符号の説明】
【００２３】
１  ヘルメット用取付具
１１  第１挟持片
１２  第２挟持片
１３  折曲部
１５  係止孔
１５ａ  薄肉部
１６  フック部
１７  係止突起
２０  突出部
３０  表示部材
３１  ヘルメット
【図１】
0003213468.tif 000003
【図２】
0003213468.tif 000004
【図３】
0003213468.tif 000005
【図４】
0003213468.tif 000006
【図５】
0003213468.tif 000007
【図６】
0003213468.tif 000008
【図７】
0003213468.tif 000009
【図８】
0003213468.tif 000010
【図９】
0003213468.tif 000011
【図１０】
0003213468.tif 000012